(57)【要約】【課題】外気の露点温度に拘わらず、給気露点温度一定制御を守るようにする。【解決手段】検出された給気露点温度ＤＰｐｖと設定されている給気露点温度設定値ＤＰｓｐとの差に応じた給気露点温度ＰＩＤ（加湿器２−３への操作量）をテーブルＴＢ１から求める。テーブルＴＢ１から求めた給気露点温度ＰＩＤに応じた給気温度設定値ＴＳｓｐをテーブルＴＢ３から求める。検出された給気温度ＴＳｐｖとテーブルＴＢ３から求めた給気温度設定値ＴＳｓｐとの差に応じた給気温度ＰＩＤ（加熱コイル２−２への操作量）をテーブルＴＢ２から求める。テーブルＴＢ１から求めた給気露点温度ＰＩＤに応じた加湿器運転時間割合γをテーブルＴＢ４から求める。【選択図】  図３
2018173200.tif 000002
【特許請求の範囲】
【請求項１】
外気の温湿度を調整して制御対象空間への給気とする少なくとも加熱コイルと加湿器とを備えた空調機と、前記空調機からの前記制御対象空間への給気の温度を給気温度として検出する給気温度センサと、前記空調機からの前記制御対象空間への給気の露点温度を給気露点温度として検出する給気露点温度センサと、前記給気温度センサによって検出された給気温度と前記給気露点温度センサによって検出された給気露点温度とに基づいて前記空調機への操作量を求めるように構成された空調制御装置とを備えた空調制御システムにおいて、
前記空調制御装置は、
前記給気露点温度とこの給気露点温度に対して設定される給気露点温度設定値との差と前記加湿器への操作量とされる給気露点温度制御出力値との関係を定めた第１のテーブルと、前記給気温度とこの給気温度に対して設定される給気温度設定値との差と前記加熱コイルへの操作量とされる給気温度制御出力値との関係を定めた第２のテーブルと、前記給気露点温度制御出力値と前記給気温度設定値との関係を定めた第３のテーブルとを記憶するテーブル記憶部と、
前記第１のテーブルから、前記給気露点温度センサによって検出された給気露点温度とこの給気露点温度に対して設定されている給気露点温度設定値との差に応じた前記給気露点温度制御出力値を求めるように構成された給気露点温度制御出力値演算部と、
前記第３のテーブルから、前記給気露点温度制御出力値演算部によって求められた給気露点温度制御出力値に応じた前記給気温度設定値を求めるように構成された給気温度設定値演算部と、
前記第２のテーブルから、前記給気温度センサによって検出された給気温度と前記給気温度設定値演算部によって求められた給気温度設定値との差に応じた前記給気温度制御出力値を求めるように構成された給気温度制御出力値演算部と
を備えることを特徴とする空調制御システム。
【請求項２】
請求項１に記載された空調制御システムにおいて、
前記テーブル記憶部は、さらに、
前記給気露点温度制御出力値と前記加湿器の運転時間の割合との関係を定めた第４のテーブルを記憶し、
前記空調制御装置は、さらに、
前記第４のテーブルから、前記給気露点温度制御出力値演算部によって求められた給気露点温度制御出力値に応じた前記加湿器の運転時間の割合を求めるように構成された加湿器運転時間割合演算部
を備えることを特徴とする空調制御システム。
【請求項３】
請求項２に記載された空調制御システムにおいて、
前記第４のテーブルには、
前記給気露点温度制御出力値が所定の範囲にある場合、前記給気露点温度制御出力値が低下するにつれて前記加湿器の運転時間の割合が小さくなるような関係として、前記給気露点温度制御出力値と前記加湿器の運転時間の割合との関係が定められている
ことを特徴とする空調制御システム。
【請求項４】
請求項１〜３の何れか１項に記載された空調制御システムにおいて、
前記空調制御装置は、さらに、
前記給気露点温度制御出力値演算部によって求められた給気露点温度制御出力値に基づいて前記加湿器の運転を許可するか禁止するかを判断するように構成された加湿器運転許可禁止判断部
を備えることを特徴とする空調制御システム。
【請求項５】
外気の温湿度を調整して制御対象空間への給気とする少なくとも加熱コイルと加湿器とを備えた空調機と、前記空調機からの前記制御対象空間への給気の温度を給気温度として検出する給気温度センサと、前記空調機からの前記制御対象空間への給気の露点温度を給気露点温度として検出する給気露点温度センサとを備えた空調制御方法に適用され、前記給気温度センサによって検出された給気温度と前記給気露点温度センサによって検出された給気露点温度とに基づいて前記空調機への操作量を求める空調制御方法において、
前記給気露点温度とこの給気露点温度に対して設定される給気露点温度設定値との差と前記加湿器への操作量とされる給気露点温度制御出力値との関係を定めた第１のテーブルと、前記給気温度とこの給気温度に対して設定される給気温度設定値との差と前記加熱コイルへの操作量とされる給気温度制御出力値との関係を定めた第２のテーブルと、前記給気露点温度制御出力値と前記給気温度設定値との関係を定めた第３のテーブルとを記憶するステップと、
前記第１のテーブルから、前記給気露点温度センサによって検出された給気露点温度とこの給気露点温度に対して設定されている給気露点温度設定値との差に応じた前記給気露点温度制御出力値を求める給気露点温度制御出力値演算ステップと、
前記第３のテーブルから、前記給気露点温度制御出力値演算ステップによって求められた給気露点温度制御出力値に応じた前記給気温度設定値を求める給気温度設定値演算ステップと、
前記第２のテーブルから、前記給気温度センサによって検出された給気温度と前記給気温度設定値演算ステップによって求められた給気温度設定値との差に応じた前記給気温度制御出力値を求める給気温度制御出力値演算ステップと
を備えることを特徴とする空調制御方法。
【請求項６】
請求項５に記載された空調制御方法において、
さらに、
前記給気露点温度制御出力値と前記加湿器の運転時間の割合との関係を定めた第４のテーブルを記憶するステップと
前記第４のテーブルから、前記給気露点温度制御出力値演算ステップによって求められた給気露点温度制御出力値に応じた前記加湿器の運転時間の割合を求める加湿器運転時間割合演算ステップと
を備えることを特徴とする空調制御方法。
【請求項７】
請求項６に記載された空調制御方法において、
前記第４のテーブルには、
前記給気露点温度制御出力値が所定の範囲にある場合、前記給気露点温度制御出力値が低下するにつれて前記加湿器の運転時間の割合が小さくなるような関係として、前記給気露点温度制御出力値と前記加湿器の運転時間の割合との関係が定められている
ことを特徴とする空調制御方法。
【請求項８】
請求項５〜７の何れか１項に記載された空調制御方法において、
さらに、
前記給気露点温度制御出力値演算ステップによって求められた給気露点温度制御出力値に基づいて前記加湿器の運転を許可するか禁止するかを判断する加湿器運転許可禁止判断ステップ
を備えることを特徴とする空調制御方法。
【発明の詳細な説明】
【技術分野】
【０００１】
本発明は、外気の温湿度を調整して制御対象空間への給気とする空調制御システムおよび空調制御方法に関する。
【背景技術】
【０００２】
従来より、ホテルなどでは、外気の温湿度を調整して室内への給気とするようにしている。この外気の温湿度を調整する空調機は外調機と呼ばれている。また、この外調機による外気の温湿度の調整は、室内への給気の温度および湿度をどちらも一定に制御する給気温度、給気露点温度一定制御によって行われている（例えば、特許文献１参照）。
【先行技術文献】
【特許文献】
【０００３】
【特許文献１】特開２００５−１５６１４８号公報
【発明の概要】
【発明が解決しようとする課題】
【０００４】
しかしながら、従来の給気温度、給気露点温度一定制御では、外気の露点温度が低い場合は加湿が足りず、外気の露点温度が高い場合は加湿器のハンチングが生じる、というような問題があった。
【０００５】
この問題について、図８〜図１０に示す空気線図を参照して説明する。図８は、正常な場合の空気線図上での状態点の動きを示し、図９は、外気の露点温度が低い場合（加湿要求が大きい場合）の空気線図上での状態点の動きを示し、図１０は、外気の露点温度が高い場合（加湿要求が小さい場合）の空気線図上での状態点の動きを示す。なお、この場合の前提条件として、加湿効率は５０％（想定）とする。
【０００６】
正常な場合、図８に示されるように、外気の状態点Ｐ１は、外気への加熱量が制御されることによって状態点Ｐ２へ移行し、この状態点Ｐ２は、外気への加湿量が制御されることによって状態点Ｐ３へ移行する。この状態点Ｐ３では、給気温度ＴＳｐｖが給気温度設定値ＴＳｓｐに一致し、給気露点温度ＤＰｐｖが給気露点温度設定値ＤＰｓｐに一致している。すなわち、制御目標とする状態点Ｐ０に一致している。
【０００７】
外気の露点温度が低い場合（加湿要求が大きい場合）、図９に示されるように、外気の状態点Ｐ１は、外気への加熱量が制御されることによって状態点Ｐ２へ移行し、この状態点Ｐ２は、外気への加湿量が制御されることによって状態点Ｐ３へ移行する。この状態点Ｐ３では、給気温度ＴＳｐｖが給気温度設定値ＴＳｓｐに一致しているが、給気露点温度ＤＰｐｖは給気露点温度設定値ＤＰｓｐよりも低く、加湿不足となっている。すなわち、給気露点温度一定制御よりも給気温度一定制御が優先され、状態点Ｐ３が制御目標とする状態点Ｐ０よりも下方に位置し、加湿不足となっている。
【０００８】
外気の露点温度が高い場合（加湿要求が小さい場合）、図１０に示されるように、外気の状態点Ｐ１は、外気への加熱量が制御されることによって状態点Ｐ２へ移行し、この状態点Ｐ２は、外気への加湿量が制御されることによって状態点Ｐ３へ移行する。この状態点Ｐ３では、給気温度ＴＳｐｖが給気温度設定値ＴＳｓｐに一致しているが、給気露点温度ＤＰｐｖは給気露点温度設定値ＤＰｓｐよりも高く、加湿過剰となっている。すなわち、給気露点温度一定制御よりも給気温度一定制御が優先され、加湿過剰となっている。この場合、状況によっては加湿器がＯＮ／ＯＦＦを繰り返し、ハンチング動作となる。
【０００９】
本発明は、このような課題を解決するためになされたもので、その目的とするところは、外気の露点温度に拘わらず、給気露点温度一定制御を守るようにすることが可能な空調制御システムおよび空調制御方法を提供することにある。
【課題を解決するための手段】
【００１０】
このような目的を達成するために本発明は、外気の温湿度を調整して制御対象空間への給気とする少なくとも加熱コイル（２−２）と加湿器（２−３）とを備えた空調機（２）と、空調機からの制御対象空間への給気の温度を給気温度として検出する給気温度センサ（８）と、空調機からの制御対象空間への給気の露点温度を給気露点温度として検出する給気露点温度センサ（９）と、給気温度センサによって検出された給気温度と給気露点温度センサによって検出された給気露点温度とに基づいて空調機への操作量を求めるように構成された空調制御装置（１０）とを備えた空調制御システム（１００）において、空調制御装置は、給気露点温度とこの給気露点温度に対して設定される給気露点温度設定値との差と加湿器への操作量とされる給気露点温度制御出力値との関係を定めた第１のテーブル（ＴＢ１）と、給気温度とこの給気温度に対して設定される給気温度設定値との差と加熱コイルへの操作量とされる給気温度制御出力値との関係を定めた第２のテーブル（ＴＢ２）と、給気露点温度制御出力値と給気温度設定値との関係を定めた第３のテーブル（ＴＢ３）とを記憶するテーブル記憶部（１０−４）と、第１のテーブルから、給気露点温度センサによって検出された給気露点温度とこの給気露点温度に対して設定されている給気露点温度設定値との差に応じた給気露点温度制御出力値を求めるように構成された給気露点温度制御出力値演算部（１０Ａ）と、第３のテーブルから、給気露点温度制御出力値演算部によって求められた給気露点温度制御出力値に応じた給気温度設定値を求めるように構成された給気温度設定値演算部（１０Ｂ）と、第２のテーブルから、給気温度センサによって検出された給気温度と給気温度設定値演算部によって求められた給気温度設定値との差に応じた給気温度制御出力値を求めるように構成された給気温度制御出力値演算部（１０Ｃ）とを備えることを特徴とする。
【００１１】
この発明によれば、第１のテーブルから、給気露点温度センサによって検出された給気露点温度とこの給気露点温度に対して設定されている給気露点温度設定値との差に応じた給気露点温度制御出力値が求められる。そして、第３のテーブルから、第１のテーブルから求められた給気露点温度制御出力値に応じた給気温度設定値が求められ、第２のテーブルから、給気温度センサによって検出された給気温度と第３のテーブルから求められた給気温度設定値との差に応じた給気温度制御出力値が求められる。本発明において、第１のテーブルから求められた給気露点温度制御出力値は加湿器への操作量とされ、第２のテーブルから求められた給気温度制御出力値は加熱コイルへの操作量とされる。
【００１２】
本発明では、給気露点温度センサによって検出された給気露点温度とこの給気露点温度に対して設定されている給気露点温度設定値との差から給気露点温度制御出力値を求め、この求めた給気露点温度制御出力値から給気温度設定値を求める。すなわち、加湿器への操作量とされる給気露点温度制御出力値に応じて給気温度設定値を変化させる（給気露点温度による給気温度設定カスケードを行う）。これにより、外気の露点温度が低い場合（加湿要求が大きい場合）、給気温度設定値を上げるようにしたり、外気の露点温度が高い場合（加湿要求が小さい場合）、給気温度設定値を下げるようにしたりして、外気の露点温度に拘わらず、給気露点温度一定制御を守るようにすることが可能となる。
【００１３】
なお、上記説明では、一例として、発明の構成要素に対応する図面上の構成要素を、括弧を付した参照符号によって示している。
【発明の効果】
【００１４】
本発明によれば、給気露点温度センサによって検出された給気露点温度とこの給気露点温度に対して設定されている給気露点温度設定値との差に応じた給気露点温度制御出力値を第１のテーブルから求め、第１のテーブルから求めた給気露点温度制御出力値に応じた給気温度設定値を第３のテーブルから求め、給気温度センサによって検出された給気温度と第３のテーブルから求めた給気温度設定値との差に応じた給気温度制御出力値を求めるようにしたので、加湿器への操作量とされる給気露点温度制御出力値に応じて給気温度設定値を変化させるようにして、外気の露点温度に拘わらず、給気露点温度一定制御を守るようにすることが可能となる。
【図面の簡単な説明】
【００１５】
【図１】図１は、本発明の実施の形態に係る空調制御システムの要部を示す図である。
【図２】図２は、この空調制御システムにおける外調機制御装置のハードウェア構成の概略を示す図である。
【図３】図３は、この空調制御システムにおける外調機制御装置の機能ブロック図である。
【図４】図４は、この空調制御システムにおいて加湿器が間欠運転されている状態を例示する図である。
【図５】図５は、この空調制御システムにおいて外気の露点温度が低い場合（加湿要求が大きい場合）の空気線図上での状態点の動きを示す図である。
【図６】図６は、この空調制御システムにおいて外気の露点温度が高い場合（加湿要求が小さい場合）の空気線図上での状態点の動きを示す図である。
【図７】図７は、この空調制御システムにおいて外気の露点温度がさらに高い場合（加湿要求がさらに小さい場合）の空気線図上での状態点の動きを示す図である。
【図８】図８は、正常な場合の従来の空気線図上での状態点の動きを示す図である。
【図９】図９は、外気の露点温度が低い場合（加湿要求が大きい場合）の従来の空気線図上での状態点の動きを示す図である。
【図１０】図１０は、外気の露点温度が高い場合（加湿要求が小さい場合）の従来の空気線図上での状態点の動きを示す図である。
【発明を実施するための形態】
【００１６】
以下、本発明の実施の形態を図面に基づいて詳細に説明する。図１は本発明の実施の形態に係る空調制御システム１００の要部を示す図である。
【００１７】
この空調制御システム１００は、外気ＯＡの温湿度を調整し制御対象空間１への給気ＳＡとする外調機２と、外調機２への外気ＯＡの導入路に設けられた外気ダンパ３と、外調機２への冷水ＣＷの供給路に設けられた冷水弁４と、外調機２への温水ＨＷの供給路に設けられた温水弁５と、外調機２への加湿水ＷＨの供給路に設けられた加湿弁６と、外調機２への外気ＯＡの温度を外気温度ｔｏｕｔとして検出する外気温度センサ７と、外調機２からの給気ＳＡの温度を給気温度ＴＳｐｖとして検出する給気温度センサ８と、外調機２からの給気ＳＡの露点温度を給気露点温度ＤＰｐｖとして検出する給気露点温度センサ９と、外調機２の運転を制御する外調機制御装置１０とを備えている。
【００１８】
この空調制御システム１００において、制御対象空間１の給気吹出口には可変給気量調節ユニット（ＶＡＶユニット）１１が設けられており、制御対象空間１内には顕熱処理機（ＦＣＵ（ファンコイルユニット））１２が設けられている。また、制御対象空間１に対しては排気ファン１３が設けられている。なお、この例では、制御対象空間１の給気吹出口に可変給気量調節ユニット１１を設けているが、この可変給気量調節ユニット１１はなくても構わない。
【００１９】
この空調制御システム１００において、外調機２は、冷水弁４を介して冷水ＣＷが供給される冷却コイル２−１と、温水弁５を介して温水ＨＷが供給される加熱コイル２−２と、加湿弁６を介して加湿水ＷＨが供給される加湿器２−３と、ファン２−４とを備えている。また、顕熱処理機１２は、ユーザターミナルＵＴからの設定温度ｔｓｐを受けて、制御対象空間１内の温度を設定温度ｔｓｐに保つ。
【００２０】
外調機制御装置１０は、外気温度センサ７によって検出される外気温度ｔｏｕｔ、給気温度センサ８によって検出される給気温度ＴＳｐｖ、給気露点温度センサ９によって検出される給気露点温度ＤＰｐｖを入力とし、加熱コイル２−２への操作量として給気温度制御出力値（給気温度ＰＩＤ（％））を生成したり、加湿器２−３への操作量として給気露点温度制御出力値（給気露点温度ＰＩＤ（％））を生成したり、給気ファン２−４への操作量としてインバータ出力（ＩＮＶ出力（％））を生成したりする。この外調機制御装置１０が本発明でいう空調制御装置に相当する。また、外調機２が本発明でいう空調機に相当する。
【００２１】
この空調制御システム１００において、外調機制御装置１０は、図２に示すように、中央演算処理装置（ＣＰＵ）１０−１と、ランダムアクセスメモリ（ＲＡＭ）１０−２と、読み出し専用メモリ（ＲＯＭ）１０−３と、ハードディスクなどの記憶装置１０−４と、入出力用のインタフェース１０−５，１０−６と、これらを接続する母線１０−７とを備えている。
【００２２】
この外調機制御装置１０には、本実施の形態特有のプログラムとして、給気温湿度制御プログラムがインストールされている。この給気温湿度制御プログラムは、例えばＣＤ−ＲＯＭなどの記録媒体に記録された状態で提供され、この記録媒体から読み出されて記憶装置１０−４に記録され、使用可能な状態として外調機制御装置１０にインストールされている。なお、この給気温湿度制御プログラムは、ネットワークを通して外調機制御装置１０に提供することも可能である。
【００２３】
この外調機制御装置１０において、ＣＰＵ１０−１は、インタフェース１０−５を介する各種の入力情報を処理することで、ＲＡＭ１０−２やＲＯＭ１０−３、記憶装置１０−４にアクセスしながら、外調機制御装置１０にインストールされている給気温湿度制御プログラムに従って動作する。
【００２４】
なお、この給気温湿度制御プログラムでは、潜熱（給気露点温度）主体を考え、給気温度設定値を可変とすることにより（給気露点温度による給気温度設定カスケードを行うことにより）、また加湿器を必要に応じて間欠運転とすることにより、潜熱（給気露点温度）を守る制御とする。
【００２５】
また、この給気温湿度制御プログラムでは、記憶装置１０−４に、給気露点温度ＤＰｐｖと給気露点温度設定値ＤＰｓｐとの差と給気露点温度ＰＩＤ（％）との関係を定めた第１のテーブルＴＢ１と、給気温度ＴＳｐｖと給気温度設定値ＴＳｓｐとの差と給気温度ＰＩＤ（％）との関係を定めた第２のテーブルＴＢ２と、給気露点温度ＰＩＤと給気温度設定値ＴＳｓｐとの関係を定めた第３のテーブルＴＢ３と、給気露点温度ＰＩＤと加湿器運転時間割合γ（％）との関係を定めた第４のテーブルＴＢ４とを記憶させるものとする。
【００２６】
以下、この給気温湿度制御プログラムに従ってＣＰＵ１０−１が実行する処理動作について、図３に示す外調機制御装置１０の機能ブロック図を参照しながら説明する。
【００２７】
外調機制御装置１０は、ＣＰＵ１０−１の処理機能として、給気露点温度制御出力値演算部１０Ａと、給気温度設定値演算部１０Ｂと、給気温度制御出力値演算部１０Ｃと、加湿器運転時間割合演算部１０Ｄと、加湿器運転許可禁止判断部１０Ｅとを備えている。
【００２８】
給気露点温度制御出力値演算部１０Ａは、給気露点温度センサ９によって検出された給気露点温度ＤＰｐｖと、この給気露点温度ＤＰｐｖに対して設定されている給気露点温度設定値ＤＰｓｐとを入力とし、この入力された給気露点温度ＤＰｐｖと給気露点温度設定値ＤＰｓｐとの差に応じた給気露点温度ＰＩＤを第１のテーブルＴＢ１から求める。
【００２９】
この給気露点温度制御出力値演算部１０Ａで求められた給気露点温度ＰＩＤは、加湿器２−３への操作量として、加湿弁６へ送られる。これにより、加湿弁６の開度が調整され、外気への加湿量が調整される。
【００３０】
また、給気露点温度制御出力値演算部１０Ａで求められた給気露点温度ＰＩＤは、給気温度設定値演算部１０Ｂ、加湿器運転時間割合演算部１０Ｄ、加湿器運転許可禁止判断部１０Ｅへも送られる。
【００３１】
給気温度設定値演算部１０Ｂは、給気露点温度制御出力値演算部１０Ａからの給気露点温度ＰＩＤを入力とし、この入力された給気露点温度ＰＩＤに応じた給気温度設定値ＴＳｓｐを第３のテーブルＴＢ３から求める。
【００３２】
第３のテーブルＴＢ３には、例えば、給気露点温度ＰＩＤが１００％から５５％まで低下するのに比例して、給気温度設定値ＴＳｓｐが２４℃から１６℃まで低下するような関係として、給気露点温度ＰＩＤと給気温度設定値ＴＳｓｐとの関係が定められている。
【００３３】
この給気温度設定値演算部１０Ｂで求められた給気温度設定値ＴＳｓｐは給気温度制御出力値演算部１０Ｃへ送られる。
【００３４】
給気温度制御出力値演算部１０Ｃは、給気温度センサ８によって検出された給気温度ＴＳｐｖと、給気温度設定値演算部１０Ｂからの給気温度設定値ＴＳｓｐとを入力とし、この入力された給気温度ＴＳｐｖと給気温度設定値ＴＳｓｐとの差に応じた給気温度ＰＩＤを第２のテーブルＴＢ２から求める。
【００３５】
この給気温度制御出力値演算部１０Ｃで求められた給気温度ＰＩＤは、加熱コイル２−２への操作量として、温水弁５へ送られる。これにより、温水弁５の開度が調整され、外気への加熱量が調整される。
【００３６】
加湿器運転時間割合演算部１０Ｄは、給気露点温度制御出力値演算部１０Ａからの給気露点温度ＰＩＤを入力とし、この入力された給気露点温度ＰＩＤに応じた加湿器運転時間割合γを第４のテーブルＴＢ４から求める。
【００３７】
第４のテーブルＴＢ４には、例えば、給気露点温度ＰＩＤが４５％から２５％まで低下するのに比例して、加湿器運転時間割合γが１００％から５０％まで低下するような関係として、給気露点温度ＰＩＤと加湿器運転時間割合γとの関係が定められている。
【００３８】
この加湿器運転時間割合演算部１０Ｄで求められた加湿器運転時間割合γで加湿器２−３が運転される。例えば、加湿器運転時間割合γが５０％として求められた場合、図４に示すように、間欠周期（分）をα、ＯＮ時間（分）をβとした場合、β＝α×（γ／１００）として、加湿器２−３が間欠運転される。
【００３９】
加湿器運転許可禁止判断部１０Ｅは、給気露点温度制御出力値演算部１０Ａからの給気露点温度ＰＩＤを入力とし、この入力された給気露点温度ＰＩＤが０％となった場合、加湿器２−３の運転を禁止（加湿制御を禁止）する。加湿器運転許可禁止判断部１０Ｅは、加湿器２−３の運転を禁止した後、すなわち給気露点温度ＰＩＤが０％となった後、給気露点温度ＰＩＤが２５％を超えると、加湿器２−３の運転を許可（加湿制御を許可）する。
【００４０】
図５に、本実施の形態において、外気の露点温度が低い場合（加湿要求が大きい場合）の空気線図上での状態点の動きをＰ１’，Ｐ２’，Ｐ３’として示す。なお、図中、Ｐ１，Ｐ２，Ｐ３は従来の状態点の変化（図９参照）を参考として示している。この例では、給気露点温度ＰＩＤが１００％であるものとし、状態点Ｐ１’はＰ１と等しい位置にあるものとする。
【００４１】
この場合、給気温度設定値演算部１０Ｂによって、給気露点温度ＰＩＤに対応する給気温度設定値ＴＳｓｐとして２４℃が求められる。この例において、給気温度設定値ＴＳｓｐは従来の給気温度設定値ＴＳｓｐよりも高くなる。これにより、外気の状態点Ｐ１’（Ｐ１）がＰ２’へ移行する。そして、この状態点Ｐ２’は、加湿器２−３への給気露点温度ＰＩＤが１００％であり、加湿器運転時間割合演算部１０Ｄで求められる加湿器運転時間割合γが１００％であることから、状態点Ｐ３’へ移行する。この状態点Ｐ３’では、給気温度ＴＳｐｖが給気温度設定値ＴＳｓｐに一致し、給気露点温度ＤＰｐｖが給気露点温度設定値ＤＰｓｐに一致している。すなわち、制御目標とする状態点Ｐ０’に一致している。
【００４２】
図６に、本実施の形態において、外気の露点温度が高い場合（加湿要求が小さい場合）の空気線図上での状態点の動きをＰ１’，Ｐ２’，Ｐ３’として示す。なお、図中、Ｐ１，Ｐ２，Ｐ３は従来の状態点の変化（図１０参照）を参考として示している。この例では、給気露点温度ＰＩＤが５０％であるものとし、状態点Ｐ１’はＰ１と等しい位置にあるものとする。
【００４３】
この場合、給気温度設定値演算部１０Ｂによって、給気露点温度ＰＩＤに対応する給気温度設定値ＴＳｓｐとして１６℃が求められる。この例において、給気温度設定値ＴＳｓｐは従来の給気温度設定値ＴＳｓｐよりも低くなる。これにより、外気の状態点Ｐ１’（Ｐ１）がＰ２’へ移行する。そして、この状態点Ｐ２’は、加湿器２−３への給気露点温度ＰＩＤが５０％であり、加湿器運転時間割合演算部１０Ｄで求められる加湿器運転時間割合γが１００％であることから、状態点Ｐ３’へ移行する。この状態点Ｐ３’では、給気温度ＴＳｐｖが給気温度設定値ＴＳｓｐに一致し、給気露点温度ＤＰｐｖが給気露点温度設定値ＤＰｓｐに一致している。すなわち、制御目標とする状態点Ｐ０’に一致している。
【００４４】
図７に、本実施の形態において、外気の露点温度がさらに高い場合（加湿要求がさらに小さい場合）の空気線図上での状態点の動きをＰ１’，Ｐ２’，Ｐ３’として示す。この例では、給気露点温度ＰＩＤが２５％であるものとする。
【００４５】
この場合、給気温度設定値演算部１０Ｂによって、給気露点温度ＰＩＤに対応する給気温度設定値ＴＳｓｐとして１６℃が求められる。これにより、外気の状態点Ｐ１’がＰ２’へ移行する。そして、この状態点Ｐ２’は、加湿器２−３への給気露点温度ＰＩＤが２５％であり、加湿器運転時間割合演算部１０Ｄで求められる加湿器運転時間割合γが５０％であることから、加湿器運転時間割合γ＝５０％で加湿器２−３が間欠運転され、状態点Ｐ３’へ移行する。この状態点Ｐ３’では、給気温度ＴＳｐｖが給気温度設定値ＴＳｓｐに一致し、給気露点温度ＤＰｐｖが給気露点温度設定値ＤＰｓｐに一致している。すなわち、制御目標とする状態点Ｐ０’に一致している。
【００４６】
なお、この場合、加湿器２−３を間欠運転せずに、常時運転すると、給気露点温度設定値ＤＰｓｐをオーバしてしまう。このため、加湿要求はあるが加湿器常時運転ではオーバシュートする領域では、給気露点温度ＰＩＤが低下するにつれて加湿器運転時間割合γを狭めて加湿器２−３を間欠運転するものとしている。これにより、給気露点温度設定値ＤＰｓｐが維持されるとともに、省エネルギーが図られるものとなる。
【００４７】
このようにして、本実施の形態によれば、加湿器２−３への操作量とされる給気露点温度ＰＩＤに応じて給気温度設定値ＴＳｓｐを変化させる（給気露点温度による給気温度設定カスケードを行う）ことにより、外気の露点温度が低い場合（加湿要求が大きい場合）、給気温度設定値ＴＳｓｐを上げるようにしたり、外気の露点温度が高い場合（加湿要求が小さい場合）、給気温度設定値ＴＳｓｐを下げるようにしたりして、外気の露点温度に拘わらず、給気露点温度一定制御を守るようにすることができるようになる。また、給気露点温度による給気温度設定カスケードを行うことで、加湿効率にとらわれず、外乱に強い制御となる。すなわち、給気温度設定値ＴＳｓｐを変えることで、加湿器２−３を常時ＯＮできる領域が増え、加湿効率にとらわれず、外乱に強い制御となる。
【００４８】
なお、本実施の形態では、給気温度設定値ＴＳｓｐが変化するが、制御対象空間１内には顕熱処理機１２が設けられているので問題はない。すなわち、給気温度設定値ＴＳｓｐが変化しても、制御対象空間１内の温度は、顕熱処理機１２によって設定温度ｔｓｐに保たれる。
【００４９】
なお、外気の露点温度によって給気温度設定値を可変させることも考えられるが、加湿効率が違う計装や、外乱（給気風量変更による加湿効率変更など）に対応できない。このため、本実施の形態では、給気露点温度ＰＩＤに応じて給気温度設定値ＴＳｓｐを変化させるようにしている。
【００５０】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。
【符号の説明】
【００５１】
１…制御対象空間、２…外調機、２−１…冷却コイル、２−２…加熱コイル、２−３…加湿器、２−４…ファン、４…冷水弁、５…温水弁、６…加湿弁、７…外気温度センサ、８…給気温度センサ、９…給気露点温度センサ、１０…外調機制御装置、１０−１…ＣＰＵ、１０−２…ＲＡＭ、１０−３…ＲＯＭ、１０−４…記憶装置、１０Ａ…給気露点温度制御出力値演算部、１０Ｂ…給気温度設定値演算部、１０Ｃ…給気温度制御出力値演算部、１０Ｄ…加湿器運転時間割合演算部、１０Ｅ…加湿器運転許可禁止判断部、１００…空調制御システム。
【図１】
2018173200.tif 000003
【図２】
2018173200.tif 000004
【図３】
2018173200.tif 000005
【図４】
2018173200.tif 000006
【図５】
2018173200.tif 000007
【図６】
2018173200.tif 000008
【図７】
2018173200.tif 000009
【図８】
2018173200.tif 000010
【図９】
2018173200.tif 000011
【図１０】
2018173200.tif 000012